【手続補正書】
【提出日】平成20年11月28日(2008.11.28)
【手続補正１】
【補正対象書類名】明細書
【補正対象項目名】０００５
【補正方法】変更
【補正の内容】
【０００５】
このインダクタ型モータ９では、所定シーケンスに沿って励磁コイル９１０、９２０に通電することで、各ステータ歯が呈する極性を時間的に交互に切り替える。各ステータ歯の極性を交互に切り替えすれば、ロータ９３外周面のＮ極あるいはＳ極と各ステータ歯との間で吸引あるいは反発を繰り返し発生させることができる。そして、ロータ９３外周面のＮ極及びＳ極に作用する吸引力あるいは反発力に基づいて、ロータ９３の回転トルクを発生させることができる。インダクタ型モータ９では、上記のごとくステータブロック９１、９２を回転方向にずらしてスタックしてあるため、ロータ９３が所定の方向に回転し得る。
【手続補正２】
【補正対象書類名】明細書
【補正対象項目名】００３８
【補正方法】変更
【補正の内容】
【００３８】
各マグネットロータ４０は、他方のマグネットロータ４０に隣接する端部に、着磁面４０１を設けたマグネット部４３よりも小径の小径部４０２（図９参照。）を有している。この小径部４０２は、その端面に偏芯して、相手方の小径部４０２に係合する係合部４０３を有している。一方の小径部４０２の係合部４０３は、軸方向に窪む凹状のものである。他方の小径部４０２の係合部４０３は、上記凹状の係合部４０３に嵌り合う凸状をなすもの（図示略。）である。これらの係合部４０３は、各マグネットロータ４０の回転方向の相対位置を精度高く規制するためのロータ位置決め部をなしている。
【手続補正３】
【補正対象書類名】明細書
【補正対象項目名】００４９
【補正方法】変更
【補正の内容】
【００４９】
このインダクタ型モータ１を製造するに当たっては、中間プレート２６に保持された２個のステータ２を軸方向の中間に外挿すると共に、２個のマグネットロータ４０を回転シャフト４１に外挿、固定した回転子４（図１１参照。）を作製する。この回転子４を作製するに当たって、本例では、図９〜図１１に示すごとく、中間プレート２６及びステータ２を除いてマグネットロータ４０のみを第１の回転シャフト４１１に外挿固定する第１のロータ外挿工程、第１の回転シャフト４１１に外挿固定した各マグネットロータ４０の外周面を着磁するロータ着磁工程、第１の回転シャフト４１１から各マグネットロータ４０を抜き取るロータ抜き取り工程、及び中間プレート２６等と共にマグネットロータ４０を第２の回転シャフト４１に外挿固定する第２のロータ外挿工程を、この順番で実施した。
【手続補正４】
【補正対象書類名】明細書
【補正対象項目名】００５１
【補正方法】変更
【補正の内容】
【００５１】
その後、上記ロータ着磁工程を実施し、各マグネットロータ４０に多極着磁を施し、その外周面に着磁面４０１を設けた。このロータ着磁工程では、６カ所のＮ極及びＳ極が周方向に交互に現れる着磁面４０１を、各マグネットロータ４０の外周面に形成した。本例のロータ着磁工程では、同軸上に配列した２個のマグネットロータ４０について、各磁極の回転方向（周方向）の形成位置が同一となるように着磁した。
【手続補正５】
【補正対象書類名】明細書
【補正対象項目名】００５２
【補正方法】変更
【補正の内容】
【００５２】
その後、上記ロータ抜き取り工程を実施し、生産治具としての上記第１の回転シャフト４１１から着磁済みの２個のマグネットロータ４０を抜き取りし、上記第２のロータ外挿工程を実施する。この第２のロータ外挿工程は、２個のステータ２を保持した中間プレート２６を軸方向の中間に位置させた状態で、着磁済の２個のマグネットロータ４０を第２の回転シャフト４１に外挿する工程である。
【手続補正６】
【補正対象書類名】明細書
【補正対象項目名】００５４
【補正方法】変更
【補正の内容】
【００５４】
その後、中間プレート２６を外挿した回転シャフト４１の両端側から、着磁済のマグネットロータ４０を外挿する。回転シャフト４１に対してマグネットロータ４０を外挿するに当たっては、マグネットロータ４０の一方の端部に設けた小径部４０２を挿入方向の先端とした。一方の端部からマグネットロータ４０を外挿、固定した後、他方の端部からもう一方のマグネットロータ４０を外挿する。
なお、ステータ２及び中間プレート２６と、各マグネットロータ４０を回転シャフト４１に外挿する順番としては、上記に代えて、一方のマグネットロータ４０を外挿した後、ステータ２及び中間プレート２６を外挿し、その後、他方のマグネットロータ４０を外挿することも良い。
【手続補正７】
【補正対象書類名】明細書
【補正対象項目名】００５５
【補正方法】変更
【補正の内容】
【００５５】
ここで、ステータ２の保持板部２２の貫通孔２２０（図５）、及び中間プレート２６の間通孔２６０（図７）は、マグネットロータ４０（図１０）の本体部分をなすマグネット部４３よりも小径であって、かつ、小径部４０２よりも大径である。それ故、上記第２のロータ外挿工程により得られる回転子４は、図１１に示すごとく、２個のマグネットロータ４０の各小径部４０２がなす小径の中間凹部４２に中間プレート２６等を外挿、配置したものとなる。
【手続補正８】
【補正対象書類名】明細書
【補正対象項目名】００５６
【補正方法】変更
【補正の内容】
【００５６】
ここで、マグネットロータ４０の小径部４０２同士を当接するに当たっては、上記第１のロータ外挿工程と同様、係合部４０３同士が嵌合するように各小径部４０２を当接させている。それ故、上記第２のロータ外挿工程によれば、各マグネットロータ４０の回転方向の相対位置を、上記ロータ着磁工程を実施した際と略同一に設定することができる。したがって、上記インダクタ型モータ１の回転子４は、外挿固定した各マグネットロータ４０の回転方向の位置精度を高く確保したものとなる。本例の第２のロータ外挿工程によれば、各マグネットロータ４０を外挿する際、各着磁面４０１に設けた各磁極の形成位置が回転方向にずれるおそれが極めて少ない。
【手続補正９】
【補正対象書類名】明細書
【補正対象項目名】００５９
【補正方法】変更
【補正の内容】
【００５９】
ここで、ケース部材５０に保持したステータ２は、その係合ピン２３１（図４）とピン穴５０１（図１）との係合により、ケース部材５０に対する回転方向の位置を規制してある。一方、中間プレート２６に保持したステータ２は、その係合ピン２３１（図４）と係合穴２６１あるいは２６２（図７）との係合により、中間プレート２６に対する周方向位置を規制してある。さらに、中間プレート２６と各ケース部材５０との回転方向の相対位置は、中間プレート２６の外周に設けた凸部２６５（図７）と、ケース部材５０の開口部５１に設けた係合凹部５１０（図８）との係合により規制してある。
【手続補正１０】
【補正対象書類名】明細書
【補正対象項目名】００６４
【補正方法】変更
【補正の内容】
【００６４】
さらに、本例のインダクタ型モータ１の製造方法において、第１のロータ外挿工程、ロータ着磁工程、及びロータ抜き取り工程の後工程として実施する第２のロータ外挿工程は、第１のロータ外挿工程と同様、ロータ位置決め部である係合部４０３を利用して回転方向の相対位置を精度高く規制しながら各マグネットロータ４０を外挿、固定する工程である。この第２のロータ外挿工程によれば、着磁済の各マグネットロータ４０の回転方向の相対位置を精度高く再現できる。それ故、本例のインダクタ型モータの製造方法によれば、設計仕様通りの優れた特性を呈する製品を製造し得る。